(57)【要約】    【課題】タッチパネル及び液晶画面周りに、本体ケースとは別に意匠カバーを取り付ける機種において、省スペースでタッチパネルを取り付ける。    【解決手段】インターホンの本体ケース１にタッチパネル２及び液晶モジュール３を囲繞する意匠カバー４を取り付け、意匠カバー４は弾性爪４１によって本体ケース１に嵌合され、タッチパネル２の周辺部２１両面を挟持しタッチパネル２への衝撃を吸収する緩衝パッキン２２の意匠カバー側の面２２１を意匠カバー４のリブ４２に当接させてタッチパネル２を取り付けるものである。    【選択図】図１
2005117445.tif 000002
【特許請求の範囲】
【請求項１】
インターホンの本体ケース（１）にタッチパネル（２）及び液晶モジュール（３）を囲繞する意匠カバー（４）を取り付け、
前記意匠カバーは弾性爪（４１）によって前記本体ケースに嵌合され、
前記タッチパネルの周辺部（２１）両面を挟持し前記タッチパネルへの衝撃を吸収する緩衝パッキン（２２）の前記意匠カバー側の面（２２１）を前記意匠カバーのリブ（４２）に当接させて前記タッチパネルを取り付けることを特徴とするインターホンのタッチパネル取付構造。
【請求項２】
前記液晶モジュールの取付リブ（３１）を前記緩衝パッキンの前記液晶モジュール側の面（２２２）に当接させて前記液晶モジュールを前記意匠カバーのボス（４３）に螺子止めすることを特徴とする請求項１記載のインターホンのタッチパネル取付構造。
【請求項３】
前記意匠カバーの前記弾性爪は、前記弾性爪の弾性変形を防止する方向に前記液晶モジュールを配置して落下等の衝撃により外れるのを防止したことを特徴とする請求項１又は請求項２記載のインターホンのタッチパネル取付構造。
【請求項４】
前記意匠カバーにタッチパネル位置決めリブ（４４）を設け、前記意匠カバーの前記ボスに前記液晶モジュールを螺子止めすることを特徴とする請求項１乃至請求項３のうち何れか１項に記載のインターホンのタッチパネル取付構造。
【請求項５】
インターホンの意匠カバー（４）にタッチパネル（２）及び液晶モジュール（３）を囲繞して取り付け、
前記タッチパネルの周辺部（２１）両面を挟持し前記タッチパネルへの衝撃を吸収する緩衝パッキン（２２）の前記意匠カバー側の面（２２１）を前記意匠カバーのリブ（４２）に当接させて前記タッチパネルを取り付け、
前記液晶モジュールの取付リブ（３１）を前記緩衝パッキンの前記液晶モジュール側の面（２２２）に当接させて前記液晶モジュールを前記意匠カバーのボス（４３）に螺子止めし、
前記意匠カバーにタッチパネル位置決めリブ（４４）を設けて構成されるタッチパネルユニット（Ｔ）を形成したことを特徴とするインターホンのタッチパネル取付構造。
【発明の詳細な説明】
【技術分野】
【０００１】
本発明はインターホンのタッチパネル取付構造に係り、特にタッチパネル及び液晶モジュール周りに、本体ケースとは別に意匠カバーを取り付ける機種に適用されるインターホンのタッチパネル取付構造に関する。
【背景技術】
【０００２】
従来のタッチパネル取付構造は、図６に示すように、インターホンの本体ケース１００にタッチパネル２００及び液晶モジュール（図示せず）を囲繞する意匠カバー４００を取り付けている。
【０００３】
具体的には、本体ケース１００の裏面に突設されたタッチパネル嵌合用リブ１０１にタッチパネル２００が嵌め込まれている。この際、タッチパネル２００への衝撃を吸収するために、緩衝パッキン３００を本体ケース１００の裏面に突出するように設けられたパッキン用リブ１０２に当接させた状態で、タッチパネル嵌合用リブ１０１にタッチパネル２００を嵌め込む。そして、このタッチパネル２００に液晶モジュールを積層し本体ケース１００の裏面に設けられたボス（図示せず）に螺子止めする。
【０００４】
また、意匠カバー４００は本体ケース１００の開口部１０３に嵌合されると共に当該意匠カバー４００に設けられた弾性爪（図示せず）によって当該本体ケース１００に固定されている。
【０００５】
なお、このようなタッチパネル取付構造については、記載すべき先行技術文献情報はない。
【発明の開示】
【発明が解決しようとする課題】
【０００６】
背景技術に記載したタッチパネル取付構造は、取り付け可能範囲Ｌ１００に余裕のある５型（５インチ（約１２７ｍｍ）タイプ）以上の大きさのタッチパネル用なので、３．５型（３．５インチ（約８９ｍｍ）タイプ）タッチパネルのような取り付け可能範囲Ｌ２００が狭いものでは、タッチパネルを取り付けることができないという難点がある。また、緩衝パッキン３００を本体ケース１００の裏面に突出するように設けられたパッキン用リブ１０２に当接させる構造なので、取り付け可能範囲の狭い３．５型タッチパネルでは意匠カバー４００の傾斜部４０１の傾斜角度θが直角に近づくようになるので、タッチパネル操作がしにくくなる難点がある。
【０００７】
本発明は、タッチパネル及び液晶画面周りに、本体ケースとは別に意匠カバーを取り付ける機種において、省スペースでタッチパネルを取り付けることができるインターホンのタッチパネル取付構造を提供することを目的とする。
【課題を解決するための手段】
【０００８】
本発明の第１の態様であるインターホンのタッチパネル取付構造は、インターホンの本体ケースにタッチパネル及び液晶モジュールを囲繞する意匠カバーを取り付け、意匠カバーは弾性爪によって本体ケースに嵌合され、タッチパネルの周辺部両面を挟持しタッチパネルへの衝撃を吸収する緩衝パッキンの意匠カバー側の面を意匠カバーのリブに当接させてタッチパネルを取り付けるものである。
【０００９】
本発明の第２の態様は第１の態様であるインターホンのタッチパネル取付構造において、液晶モジュールの取付リブを緩衝パッキンの液晶モジュール側の面に当接させて液晶モジュールを意匠カバーのボスに螺子止めするものである。
【００１０】
本発明の第３の態様は第１の態様又は第２の態様であるインターホンのタッチパネル取付構造において、意匠カバーの弾性爪は、弾性爪の弾性変形を防止する方向に液晶モジュールを配置して落下等の衝撃により外れるのを防止したものである。
【００１１】
本発明の第４の態様は第１の態様乃至第３の各態様であるインターホンのタッチパネル取付構造において、意匠カバーにタッチパネル位置決めリブを設け、意匠カバーのボスに液晶モジュールを螺子止めするものである。
【００１２】
本発明の第５の態様であるインターホンのタッチパネル取付構造は、インターホンの意匠カバーにタッチパネル及び液晶モジュールを囲繞して取り付け、タッチパネルの周辺部両面を挟持しタッチパネルへの衝撃を吸収する緩衝パッキンの意匠カバー側の面を意匠カバーのリブに当接させてタッチパネルを取り付け、液晶モジュールの取付リブを緩衝パッキンの液晶モジュール側の面に当接させて液晶モジュールを意匠カバーのボスに螺子止めし、意匠カバーにタッチパネル位置決めリブを設けて構成されるタッチパネルユニットを形成したものである。
【発明の効果】
【００１３】
以上、説明したように、本発明のインターホンのタッチパネル取付構造によれば、タッチパネル及び液晶モジュールを取り付ける部位をインターホンの本体ケースではなく、当該本体ケースに取り付けられる意匠カバーに取り付ける構造にしたことにより、タッチパネルを取り付ける部位の省スペース化を図ることができたので、３．５インチレベルの取り付け可能範囲が小さいタッチパネルでも、確実にインターホンに組み込むことができる。
【発明を実施するための最良の形態】
【００１４】
以下、本発明のインターホンのタッチパネル取付構造を実施するための最良の形態例について、図面を参照して説明する。
【００１５】
本発明のインターホンのタッチパネル取付構造が適用されるインターホンは図１、図２、図３、図４、図５に示すように、本体シャーシ１’及び本体ケース１から成り上部側にタッチパネルユニットＴが配置され、壁面に取り付け可能なボックス型に形成されている（図１（ａ））。このインターホンのタッチパネルユニットＴは、タッチパネル２、液晶モジュール３及び意匠カバー４から成り、指や適当な入力ペンなどで画面に直接触れることによりその位置情報が入力されるタッチパネル２は液晶モジュール３上に設けられ、また、本体ケース１の表面には、タッチパネル２及び液晶モジュール３を囲繞して、当該タッチパネル２及び当該液晶モジュール２が直接固定される意匠カバー４が取り付けられている（図１（ｂ）、図２（ａ）、（ｂ）、（ｃ））。
【００１６】
このようなインターホンの本体ケース１には、タッチパネル・モニタ用の開口部１ａが設けられ、この開口部１ａの枠に係合させるための弾性爪４１が意匠カバー４の外周の近縁に少なくとも１つ以上設けられている。これにより、意匠カバー４は弾性爪４１によって本体ケース１に嵌合させることができる。また、この意匠カバー４の弾性爪４１は、当該弾性爪４１の弾性変形を防止する方向に液晶モジュール３が配置されるように設けられている。具体的には、弾性爪４１の先端部の液晶モジュール３が位置する方向とは反対となる方向に、鉤形状や山型形状から成るツメ凸部４１ａが形成されている。このツメ凸部４１ａは本体ケース１の開口部１ａの枠に嵌め込んでいくと徐々に内側（液晶モジュール側）に弾性変形して、意匠カバー４が本体ケース１に嵌合すると同時若しくはその少し前に弾性爪４１のツメ凸部４１ａは開口部１ａの枠から離脱することから、弾性爪４１の弾性変形は解消され元の形状に戻るので、当該弾性爪４１のツメ凸部４１ａと本体ケース１の開口部１ａの枠とは簡単には外れないように係合される。さらに、この意匠カバー４には、タッチパネル・モニタ用の窓４５が設けられている（図１（ｂ）、（ｃ））。
【００１７】
このような意匠カバー４にタッチパネル２を取り付ける際、当該タッチパネル２への衝撃を吸収する緩衝パッキン２２が、当該意匠カバー４とタッチパネル２との間に介在される。この緩衝パッキン２２は、タッチパネル２の取り付け可能範囲Ｌ１の部位のみに当接可能な中抜きの四角形状で形成され、断面形状は凹型若しくはＵ字状になっている（図１（ｂ）、図２、図３、図４、図５）。したがって、緩衝パッキン２２はタッチパネル２の周辺部２１の両面を挟持することになる（図１（ｂ）、図３、図４、図５）。
【００１８】
この意匠カバー４の裏面には、このような緩衝パッキン２２の意匠カバー側の面２２１すべてに当接する緩衝パッキン用リブ４２が突出して設けられている（図１（ｃ）、図３、図４、図５）。また、液晶モジュール３の表面には、この緩衝パッキン２２の液晶モジュール側の面２２２すべてに当接する取付リブ３１が突出して設けられている（図１（ｂ）、図３、図４、図５）。
【００１９】
また、意匠カバー４の裏面には、タッチパネル２を当該意匠カバー４の所定位置に位置決めするためのタッチパネル位置決めリブ４４が突出するように複数設けられている（図１（ｃ）、図２（ａ））。これにより、意匠カバー４に対してタッチパネル２の取り付け位置がずれることを防ぐことができる。
【００２０】
さらに、意匠カバー４の裏面には、液晶モジュール３を螺子止めするためのボス４３が複数設けられている（図１（ｃ）、図２（ａ）、図５）。なお、液晶モジュール３には、このボス４３の配置と同一位置に螺子穴３２が穿孔されている（図１（ｂ）、図２（ｂ）、図５）。
【００２１】
このようなタッチパネル取付構造を具備するインターホンにおいて、本体ケース１にタッチパネル２、液晶モジュール３及び意匠カバー４を組み込むには、まず、本体ケース１の開口部１ａに意匠カバー４の弾性爪４１を嵌め込む。この際、弾性爪４１のツメ凸部４１ａは本体ケース１の開口部１ａの枠に嵌め込んでいくと徐々に内側（液晶モジュール側）に弾性変形して、意匠カバー４が本体ケース１に嵌合すると同時若しくはその少し前に弾性爪４１のツメ凸部４１ａは開口部１ａの枠から離脱する。したがって、弾性爪４１の弾性変形は解消され元の形状に戻るので、当該弾性爪４１のツメ凸部４１ａと本体ケース１の開口部１ａの枠とは簡単には外れないように係合される。
【００２２】
次に、タッチパネル２の周辺部２１の両面に緩衝パッキン２２を挟持させ、このタッチパネル２に取り付けられた緩衝パッキン２２の意匠カバー側となる面２２１を意匠カバー４の緩衝パッキン用リブ４２に当接させるようにして、意匠カバー４のタッチパネル位置決めリブ４４に嵌合させる。そして、液晶モジュール３の取付リブ３１をタッチパネル２に取り付けられた緩衝パッキン２２の液晶モジュール側となる面２２２に当接させるようにして、液晶モジュール３を当該液晶モジュール３の螺子穴３２に螺子Ｓを挿入して意匠カバー４のボス４３に螺子止めする。これにより、液晶モジュール３の固定と共にタッチパネル２の固定をも確実に行うことができ、また、意匠カバー４の弾性爪４１は、弾性爪４１の弾性変形を防止する方向に液晶モジュール３を配置することになるので、落下等の衝撃により外れるのを防止することができる。
【００２３】
このように、取り付け可能範囲の狭い３．５型タッチパネルでもインターホンに確実に組み込むことができる。
【００２４】
なお、タッチパネルユニットＴの動作試験等を行なう場合には、本体ケース１に組み込まなくとも、意匠カバー４、緩衝パッキン２２、タッチパネル２及び液晶モジュール３でタッチパネルユニットＴを組み立てることができるので、この動作試験等が行い易くなる。
【図面の簡単な説明】
【００２５】
【図１】本発明のインターホンのタッチパネル取付構造による最良な実施の一形態を示す図で、（ａ）は全体斜視図、（ｂ）は分解斜視図、（ｃ）は主構成要素である意匠カバーの裏面を示す斜視図。
【図２】本発明のインターホンのタッチパネル取付構造の主構成要素であるタッチパネルユニットを示す図で、（ａ）は意匠カバーにタッチパネルを取り付けた状態を裏面から見た斜視図、（ｂ）は意匠カバーにタッチパネル及び液晶モジュールを取り付けた状態を裏面から見た斜視図、（ｃ）は（ｂ）を表面から見た斜視図。
【図３】図１（ａ）のインターホンを縦方向に切断してタッチパネルユニットの意匠カバーの弾性爪と本体ケースとの係合状態を示す部分断面図。
【図４】図１（ａ）のインターホンを横方向に切断してタッチパネルユニットの状態を示す断面図。
【図５】図１（ａ）のインターホンを横方向に切断してタッチパネルユニットの意匠カバーのボスと液晶モジュールとの状態を示す断面図。
【図６】従来のインターホンのタッチパネル取付構造を示す断面図。
【符号の説明】
【００２６】
１……本体ケース
２……タッチパネル
２１……周辺部
２２……緩衝パッキン
２２１……意匠カバー側の面
２２２……液晶モジュール側の面
３……液晶モジュール
３１……取付リブ
４……意匠カバー
４１……弾性爪
４２……リブ
４３……ボス
４４……タッチパネル位置決めリブ
Ｔ……タッチパネルユニット
【図１】
2005117445.tif 000003
【図２】
2005117445.tif 000004
【図３】
2005117445.tif 000005
【図４】
2005117445.tif 000006
【図５】
2005117445.tif 000007
【図６】
2005117445.tif 000008